(57)【特許請求の範囲】
【請求項１】
機器本体の正面に形成された紙幣投入口と、機器本体の背面に配設され、真券と見なされた紙幣を蓄積収容する開閉自在なスタッカーとを少なくとも有する紙幣処理装置を、扉により開口が開閉自在に覆われる自動販売機等の機器筐体に装着するようにした紙幣処理装置の取付装置において、
前記紙幣処理装置の機器本体を支承し、少なくとも該機器本体の正面を覆う金属板からなる紙幣処理装置収容ホルダーと、
前記機器本体の正面が前記扉側に対向するよう前記紙幣処理装置収容ホルダーを前記機器筐体内に支承し、かつ該紙幣処理装置収納ホルダーを前記扉側に向け回動自在に支承するホルダー支承手段と
を具えたことを特徴とする紙幣処理装置の取付装置。
【請求項２】
前記紙幣処理装置収容ホルダーは、断面略コの字形状の第１の枠体と、該第１の枠体の上端と前記機器筐体内との間に配設され該第１の枠体を前記機器筐体内に着脱自在に係合させるラチェットとを少なくとも有し、
また前記ホルダー支承手段は前記機器筐体内の下部に固着された断面コの字形状の第２の枠体と、前記紙幣処理装置収容ホルダーの第１の枠体下部を回動自在に支承する軸とを少なくとも有することを特徴とする請求項(1）記載の紙幣処理装置の取付装置。
【発明の詳細な説明】
【０００１】
【発明の属する技術分野】
この発明は、テレホンカード、商品券等の商品を販売する自動販売機に関し、特にこの自動販売機を構成する機器筐体内に配設された紙幣処理装置の取付装置に関する。
【０００２】
【従来の技術】
一般に、テレホンカード、ＩＣカード等の商品を販売する自動販売機では、販売するテレホンカード等の商品を収納し、かつ商品を盗難から保護するため、装置本体が頑丈な機器筐体により構成されている。
【０００３】
そして、このような機器筐体の正面にはテレホンカード等の商品を出し入れしたり、また商品を購入するための大きな開口部が形成され、またこの開口部は頑丈な扉により開閉自在に覆われている。なお、この開口は、機器筐体内に収納された商品を盗難等の悪戯から保護するため、筐体と扉との間に当該扉のロック、アンロックを行う開閉装置が配設されている。
【０００４】
一方、上述した自動販売機では商品を購入するために投入された紙幣を受入れるとともに、その投入紙幣の真偽を判別する紙幣処理装置が配設されている。
【０００５】
この紙幣処理装置は、紙幣投入口から投入された紙幣の真偽を判別するとともに、その投入された紙幣が真券と見なされた場合はスタッカー内に収容し、偽券の場合はこれを紙幣投入口から返却するものである。
【０００６】
一方、上述した紙幣処理装置を自動販売機の本体内に装着するには、従来は図５で示す自動販売機１の概念断面図で示すように、紙幣処理装置２の機器本体３を取付板４および取付ビス５等を用いて機器筐体６の開口７を覆う扉８の背面８ａに直接取り付けるようにしていた。
【０００７】
なお、図５で符号９は扉８の下面８ｂと機器筐体６の下面６ａとを連結し、扉８を回動自在に支承する蝶番で、扉８はこの蝶番９を中心に回動自在に支承されている。
【０００８】
また図５で、符号１０は紙幣処理装置２の紙幣投入口で、この紙幣投入口１０は扉８に形成された開口８ｃから扉外部に露出している。また符号１１は投入された紙幣のうち真券と見なされた紙幣を蓄積収容するスタッカで、このスタッカ１１は紙幣処理装置２の機器本体３に配設された軸１２を中心に回動自在に支承され、蓄積紙幣を回収する際は軸１２を中心にスタッカ１１を時計方向へ所定の回転角度回転し、その上部に形成される隙間から一括して抜き取る構造となっている。
【０００９】
【発明が解決しようとする課題】
ところで、上述した従来の紙幣処理装置の取付装置によると、紙幣処理装置２の機器本体３は扉８の背面８ａに直接取り付けられる構造のため、頑丈で重い扉８の重量が紙幣処理装置２により一層重くなり、このため商品の納入あるいは投入紙幣の回収の際に、図６で示すように扉８を蝶番９を中心に反時計方向へ回転させ、これにより自動販売機１を構成する機器筐体６の開口７を開閉する作業がオペレータにとって極めて困難となる難点があった。
【００１０】
また、上述した従来の紙幣処理装置の取付装置では、図５で示すように紙幣処理装置２の機器本体３が扉８の背面８ａに直接取り付けられる構造のため、扉８の開口８ｃからバール等の工具が挿入されると、その工具が直ちに紙幣処理装置２の機器本体３に届きやすく、このため当該紙幣処理装置２を簡単に破壊してしまう難点もあった。
【００１１】
なお、図６で符号６０は扉８を一定位置に位置決め停止させるストッパーステー、符号１００はスタッカー１１内から抜き取った蓄積紙幣で、スタッカー１１を軸１２を中心に時計方向へ回転させてスタッカー１１の上方を開放させた後、その開放部から抜き取るものである。
【００１２】
この発明は上述した事情に鑑み、自動販売機の扉の開閉作業が容易で、しかも悪戯等により損傷を受けにくい紙幣処理装置の取付装置を提供することを目的とする。
【００１３】
【課題を解決するための手段】
上述した課題を解決するため、この発明では、機器本体の正面に形成された紙幣投入口と、機器本体の背面に配設され、真券と見なされた紙幣を蓄積収容する開閉自在なスタッカーとを少なくとも有する紙幣処理装置を、扉により開口が開閉自在に覆われる自動販売機等の機器筐体に装着するようにした紙幣処理装置の取付装置において、前記紙幣処理装置の機器本体を支承し、少なくとも該機器本体の正面を覆う金属板からなる紙幣処理装置収容ホルダーと、前記機器本体の正面が前記扉側に対向するよう前記紙幣処理装置収容ホルダーを前記機器筐体内に支承し、かつ該紙幣処理装置収納ホルダーを前記扉側に向け回動自在に支承するホルダー支承手段とを具えている。
【００１４】
【発明の実施の形態】
以下、この発明に係わる取付装置の一実施例を詳述する。
【００１５】
図１は、この発明に係わる紙幣処理装置の取付装置を適用した自動販売機５０の概念斜視図で図５、６と同一部分を同一符号で示す。
【００１６】
この自動販売機１は、テレホンカードを販売するテレホンカード用自動販売機で、この自動販売機５０は商品であるテレホンカードを収納した立方体形状の機器筐体６と、この機器筐体６の正面に形成された開口（後述する）を開閉自在に覆う扉８とから構成されている。
【００１７】
なお、この扉８の表面には、機器筐体６内に設置された紙幣処理装置（後述する）の紙幣投入口に臨む開口８ｃが形成され、その表面は開閉カバー１３により開閉自在に覆われている。
【００１８】
また扉８の表面には販売対象のテレホンカード見本Ａ、Ｂを展示するシート材展示装置１４、１５が装着されている。
【００１９】
なお、このシート材展示装置１４、１５の各下方には、購入するテレホンカードを選択するカード選択ボタン１６、１７及び、購入したテレホンカードを排出するカード排出口１８、１９が配設されており、また紙幣挿入口である開口８ｃの上方には投入金額を表示する投入金額表示装置２０が設置されている。
【００２０】
なお、図１で符号２１、２２は図示せぬ係合手段を介し扉８を機器筐体６にロック、アンロックするロック装置のキーシリンダである。
【００２１】
次に、上述した紙幣処理装置の取付装置を説明する。
【００２２】
図２は自動販売機５０の概念断面図で、図５と同一部分を同一符号で示す。
【００２３】
この自動販売機５０の機器筐体６内には、機器本体３の正面３ａに形成された紙幣投入口１０と、機器本体３の背面に配設され真券と見なされた紙幣を蓄積収容する軸１２を中心に開閉自在なスタッカー１１とを少なくとも有する紙幣処理装置２が配設されている。
【００２４】
一方、この紙幣処理装置２は、本願発明に係わる紙幣処理装置の取付装置３０を介し、扉８ではなく自動販売機５０の機器筐体６内に配設されている。
【００２５】
この紙幣処理装置の取付装置３０は、紙幣処理装置２の機器本体３を支承し、かつ該機器本体３の正面３ａと両側面３ｂ（３ｃ）とを覆う頑丈な金属板からなる紙幣処理装置収容ホルダー３１と、紙幣処理装置２を構成する機器本体２の正面３ａが扉８側に対向するよう前記紙幣処理装置収容ホルダー３１を機器筐体６内に支承し、かつ該紙幣処理装置収納ホルダー３１を扉８側に向け回動自在に支承するホルダー支承手段３２とから構成されている。
【００２６】
このうち、紙幣処理装置収容ホルダー（以下単にホルダーと言う）３１は断面略コの字形状の第１の枠体３３からなり、この略コの字形状の第１の枠体３３により、紙幣処理装置２を構成する機器本体３の正面３ａおよび両側面３ｂ（３ｃ）とが覆われるとともに、この紙幣処理装置２を構成する機器本体３の上面３ｄとスタッカー１１が配設された背面３ｆとが開放されている。なお、この第１の枠体３３の上端３３ａには、この第１の枠体３３を機器筐体６内に着脱自在に係合させる凹凸嵌合形式のラチェット４０と、この第１の枠体３３を掴む断面Ｌ字形状の取っ手４１とが配設されている。
【００２７】
一方、ホルダー支承手段３２は機器筐体６の下部に配設された断面コの字形状の第２の枠体３４と、この第２の枠体３４を機器筐体６の内部周面に固着するリブ３５とから構成されている。
【００２８】
上述した第２の枠体３４は互いに対向する一対の舌片３４ａ（３４ｂ）を具えており、前記ホルダー３１を構成する第１の枠体３３の下端３３ｂは、上述した第２の枠体３４の互いに対向する一対の舌片３４ａ、３４ｂ間に差し渡されて支承された軸３５に回動自在に支承されている。
【００２９】
なお、図２で符号３６は第２の枠体３４に対する第１の枠体３３の回動角度を調整する回動ストッパー手段で、この回動ストッパー手段３６は、第２の枠体３４の互いに対向する一対の舌片３４ａ、３４ｂ間に差し渡されて支承された軸３７と、この軸３７を嵌挿する、前記第１の枠体３３の下方３３ｂに形成された円弧形状の案内孔３３ｃとから形成されている。
【００３０】
なお、図２で符号８ｄは、開口８ｃから挿入された投入紙幣（図示せず）を紙幣処理装置２の紙幣投入口１０へ案内する案内板である。
【００３１】
従って、上述した紙幣処理装置の取付装置３０によると、図２で示すように、紙幣処理装置２を構成する機器本体３の正面３ａと両側面３ｂ（３ｃ）とは、頑丈な金属板からなるホルダー３１の第１の枠体３３に覆われているから、仮に開口８ｃからバール等の工具を挿入し、それにより紙幣処理装置２を破壊しようとしても、頑丈な金属板からなるホルダー３１の第１の枠体３３が邪魔板となって抵抗し、当該工具の紙幣処理装置２内への侵入を可及的に防止するので、その破壊が可及的に阻止されることとなる。
【００３２】
次に、上述した取付装置３０の作用を説明する。
【００３３】
自動販売機５０の機器筐体６内に配設された紙幣処理装置２から蓄積紙幣を回収する際に、扉８を図２で示す蝶番９を中心に反時計方向に回転させると、図３で示すように、扉８のみが蝶番９を中心に反時計方向へ所定の回転角度回転し、当該扉８はストッパーステー６０により規制される位置に位置決めされる。
【００３４】
即ち、上述した取付装置３０によると、紙幣処理装置２は機器筐体６内に支承され、扉８には支承されてないから、従来例（図６）に比較して扉８の重量は紙幣処理装置２の分だけ軽くなり、このため扉８の開閉作業が簡単に行われることとなる。
【００３５】
次に、図３で示す紙幣処理装置２の取付位置から、ホルダー３１を構成する第１の枠体３３の取っ手４１を掴み、当該第１の枠体３３を軸３５を中心に反時計方向へ回転させると、直ちにラチェット手段４０の係合が解除され、第１の枠体３３は軸３５を中心に反時計方向へ回転し、これにより図４で示すように紙幣処理装置２を構成する装置本体３の背面３ｆが機器筐体６の開口７上方に露出することとなる。
【００３６】
この図４で示すように、紙幣処理装置２の背面３ｆが開口７の上方に露出すると、その開口７上方にスタッカー１１の開放スペースが確保されるから、この図４に示すスタッカー１１の位置から、当該スタッカー１１を軸１２を中心に一点鎖線で示すように時計方向へ所定の回転角度へ回転させると、そのスタッカー１１の上方に当該スタッカー１１内に収容された蓄積紙幣１００を一括して抜き取るスペースが確保されるので、このスペースを利用して蓄積紙幣１００を一括して抜き取れば、当該蓄積紙幣１００の回収もスムーズに行われることとなる。
【００３７】
なお、図４で符号２００は第１の枠体３３の両側方、あるいは片側に配設されたスタッカーラッチで、このスタッカーラッチ２００は、紙幣回収の際にスタッカー１１を一点鎖線で示す回転位置へ回転させると当該スタッカー１１の一部と係合して、その回動を規制するものである。
【００３８】
このように、スタッカーラッチ２００によりスタッカー１１を一点鎖線で示す回転位置に規制すると、紙幣回収の際にスタッカー１１が自重により軸１２を中心に反時計方向へ回転し、実線で示す初期位置に復帰することが阻止されるので、オペーレータは紙幣回収作業の際にスタッカー１１を一点鎖線で示す位置に停止させるべくそれを支える必要がなく、このため蓄積紙幣１００の回収作業が一層容易となる。
【００３９】
なお、スタッカーラッチ２００によるスタッカー１１のラッチを解除すれば、スッタッカー１１は実線で示す初期位置に復帰することは言うまでもない。
【００４０】
なお、前述した紙幣処理装置２の収納、および扉８の閉塞は、上述した手順とは逆の手順に従って、その操作を行えば良いことは勿論である。
【００４１】
【発明の効果】
以上説明したように、この発明の紙幣処理装置の取付装置では、少なくとも紙幣処理装置の正面を覆う金属板からなる紙幣処理装置収容ホルダーと、この紙幣処理装置収容ホルダーを機器筐体内に回動自在に支承するホルダー支承手段とにより、紙幣処理装置を自動販売機等の扉ではなく機器筐体内に配設するようにしたから、従来のごとく紙幣処理装置を扉に直接固定するものと比較して扉の重量は紙幣処理装置の分だけ軽く、したがってオペレータによる扉の開閉作業が極めて容易となる。
【００４２】
また、機器筐体内に配設された紙幣処理装置の正面は金属板からなる紙幣処理装置収容ホルダーにより覆われているから、紙幣処理装置は頑丈な扉と紙幣処理装置収容ホルダーとにより二重に保護されていることとなり、このためバール等の工具を使った悪戯による紙幣処理装置の破壊を可及的に防止することができる。  さらに、機器筐体内に配設された紙幣処理装置はホルダー支承手段により回動自在に支承されているため、スタッカー内に収容された蓄積紙幣の抜き取り作業時に、紙幣処理装置収容ホルダーを一定回転角度扉側に回動させればスタッカーの拡開スペースを大きく確保することができ、そのため蓄積紙幣の回収作業も簡単に行うことができる。
【図面の簡単な説明】
【図１】図１は、この発明の紙幣処理装置の取付装置を適用した自動販売機の概念斜視図。
【図２】図２は図１で示す自動販売機の概念断面図。
【図３】図３は扉を拡開した状態を示す自動販売機の概念断面図。
【図４】図４は紙幣処理装置を回転させた状態を示す自動販売機の概念断面図。
【図５】図５は従来の取付装置を適用した自動販売機の概念断面図。
【図６】図６は従来の取付装置を適用した自動販売機の扉を拡開した状態を示す概念断面図。
【符号の説明】
２…紙幣処理装置
３…機器本体
３ａ…正面
３ｆ…背面
６…機器筐体
７…開口
８…扉
１０…紙幣投入口
１１…スタッカー
３０…紙幣処理装置の取付装置
３１…紙幣処理装置収容ホルダー
３２…ホルダー支承手段
３３…第１の枠体
３４…第２の枠体
３５…軸
４０…ラチェット
５０…自動販売機
【図１】
0003697332.tif 000002
【図２】
0003697332.tif 000003
【図３】
0003697332.tif 000004
【図４】
0003697332.tif 000005
【図５】
0003697332.tif 000006
【図６】
0003697332.tif 000007